(57)【要約】【課題】契約者の２台目以降の受信装置を簡易に登録することが可能な送信装置を提供する。【解決手段】送信装置１は、契約者固有の識別子から解除コードを生成する解除コード生成手段１４と、解除コードと契約者固有の識別子とを含む解除コード情報を、登録した受信装置に送信する解除コード情報送信手段１２ｂと、契約者の未登録の受信装置から解除コード情報を受信する解除コード情報受信手段１８と、受信した解除コード情報に含まれる解除コードが解除コード生成手段１４で生成した解除コードと一致するか否かを検証する解除コード検証手段１９と、一致により有効と検証された解除コードを送信した未登録の受信装置に、メッセージの表示を消去する旨を示すメッセージ制御情報を送信するメッセージ制御情報送信手段１２ａと、を備えることを特徴とする。【選択図】図２
2014135622.tif 000002
【特許請求の範囲】
【請求項１】
コンテンツと、当該コンテンツに合成して表示するメッセージと、登録の有無により前記メッセージを表示するか否かを示すメッセージ制御情報とを、放送ストリームとして多重化して送信する送信装置において、
契約者の登録情報として入力された契約者固有の識別子から、前記メッセージの表示を消去する前記契約者固有の解除コードを生成する解除コード生成手段と、
この解除コード生成手段で生成された解除コードと前記契約者固有の識別子とを含む解除コード情報を、前記契約者の登録情報として入力された受信装置固有の識別子で特定される受信装置に送信する解除コード情報送信手段と、
前記契約者の未登録の受信装置から、前記解除コード情報を受信する解除コード情報受信手段と、
この解除コード情報受信手段で受信した解除コード情報に含まれる解除コードが、前記解除コード生成手段で生成した解除コードと一致するか否かにより受信した解除コードが有効か否かを検証する解除コード検証手段と、
前記解除コード検証手段で解除コードが有効であると検証された場合に、前記メッセージの表示を消去する旨を示すメッセージ制御情報を生成し、当該解除コードを送信した前記未登録の受信装置に送信するメッセージ制御情報送信手段と、
を備えることを特徴とする送信装置。
【請求項２】
前記契約者固有の識別子とメッセージの表示を消去した受信装置の数とを対応付けて記憶する記憶手段を備え、
前記解除コード検証手段は、さらに、前記契約者固有の識別子に対応して、前記記憶手段に記憶されているメッセージの表示を消去した受信装置の数が予め定めた最大数に達している場合、前記解除コードを無効と判定することを特徴とする請求項１に記載の送信装置。
【請求項３】
前記解除コード検証手段は、さらに、前記解除コードを生成した時間から、前記解除コード情報受信手段で前記解除コード情報を受信した時間までの経過時間が、予め定めた有効期間を経過した場合、前記受信した解除コードを無効と判定することを特徴とする請求項１または請求項２に記載の送信装置。
【請求項４】
コンテンツと、当該コンテンツに合成して表示するメッセージと、前記メッセージを表示するか否かを示すメッセージ制御情報とが多重化された放送ストリームを受信し、前記メッセージ制御情報に基づいて、前記メッセージを前記コンテンツと合成する合成手段へ出力するか否かを制御するメッセージテキスト情報受信手段を備えた受信装置において、
送信装置から、契約者固有の識別子から生成された前記メッセージの表示を消去する解除コードと、前記契約者固有の識別子とを含んだ解除コード情報を受信する解除コード情報受信手段と、
この解除コード情報受信手段で受信した解除コード情報を表示する解除コード情報表示手段と、
前記契約者の登録済みの他の受信装置で表示された前記解除コード情報を入力する解除コード情報入力手段と、
この解除コード情報入力手段で入力された解除コード情報を、前記送信装置に送信する解除コード情報送信手段と、を備え、
前記メッセージテキスト情報受信手段は、前記送信装置から前記解除コード情報が有効であると検証された結果送信される、前記メッセージの表示を消去する旨を示すメッセージ制御情報を受信した場合、前記メッセージの前記合成手段への出力を停止することを特徴とする受信装置。
【請求項５】
前記解除コード情報受信手段で受信した解除コード情報を記憶する記憶手段を備え、
前記解除コード情報表示手段は、外部から指示された際に、前記記憶手段から前記解除コード情報を読み出して表示することを特徴とする請求項４に記載の受信装置。
【請求項６】
前記解除コード情報入力手段は、前記契約者の登録済みの他の受信装置で表示された解除コード情報を入力されたときに、当該解除コード情報を前記記憶手段に記憶することを特徴とする請求項５に記載の受信装置。
【発明の詳細な説明】
【技術分野】
【０００１】
本発明は、放送番組の映像上に表示するメッセージの表示制御を行う送信装置および受信装置に関する。
【背景技術】
【０００２】
近年、地上デジタル放送、ＢＳデジタル放送、ＣＳデジタル放送等のデジタル放送が普及し、一般家庭において、高品質な映像・音声サービス、データ放送、双方向サービス等、種々のサービスを享受することが可能になっている。
このようなデジタル放送においては、放送番組の視聴を契約の有無により制限するため、有料放送の放送契約や受信契約を行っていない受信装置の画面（映像）上に契約を行っていない旨のメッセージを表示させる処理を行っている（例えば、非特許文献１参照）。このメッセージは、視聴者が放送事業者のコールセンタに、電話等によって、契約を行う旨の連絡を行い、受信装置の登録を行うことで消去される。
この場合、契約の有無が必要な放送番組を受信した受信装置において、登録が行われていない受信装置では、一斉に契約が行われていない旨のメッセージが表示される。すると、多くの視聴者が注目する人気の放送番組の場合、同時期に放送番組の視聴契約を希望する視聴者からのコールセンタへの電話によるアクセス（呼）が大量に発生し、放送事業者側で対応しきれない場合があるという問題があった。
【０００３】
この問題を解決するため、本願発明者らは、該当する放送番組を受信した受信装置にメッセージを一斉に表示するのではなく、その中で登録が行われていない受信装置をさらに限定して一部にメッセージを表示させる手法を提案した（例えば、特許文献１参照）。
この特許文献１に記載の手法は、ＥＭＭ個別メッセージによって、メッセージを受信する受信装置をグループ化する。そして、当該手法は、ＥＭＭ共通メッセージによって、そのグループをさらにマスク情報によってサブグループ化し、サブグループ単位で受信装置にメッセージを表示させるものである。
これによって、特許文献１に記載の手法は、例えば、登録の有無によって、受信装置をグループ化し、登録が行われていない受信装置のグループをさらにサブグループ化して、メッセージを表示するタイミングを分散させることができる。
【先行技術文献】
【特許文献】
【０００４】
【特許文献１】特開２０１１−０７１９５５号公報
【非特許文献】
【０００５】
【非特許文献１】（社）電波産業会、“デジタル放送におけるアクセス制御方式  標準規格  ＡＲＩＢ  ＳＴＤ−Ｂ２５  ６．２版”、平成２４年９月２５日、ｐ．２７〜３６
【発明の概要】
【発明が解決しようとする課題】
【０００６】
特許文献１の手法では、メッセージを表示させる受信装置をサブグループ化し、タイミングを分散してメッセージを表示させることができるため、視聴者からの問い合わせを分散させ、一斉に発生するコールセンタへの呼量を抑えることができる点で優れている。
しかし、特許文献１の手法を含む従来の手法において、視聴者がすでに契約を行っている場合であっても、新規に受信装置を購入した場合、当該受信装置には、契約を行っていない旨のメッセージが表示され、別途、受信装置の登録が必要となる。
【０００７】
すなわち、従来の手法は、視聴者が新規に受信装置を購入した場合、視聴者が契約者であるか否かに関わらず、当該受信装置にメッセージを表示するため、一斉に発生するコールセンタへの呼の発生要因を含んだものとなっている。また、従来の手法は、契約者が２台目以降の受信装置を設置（購入）した際に、契約者に対して、コールセンタへの電話による登録や、ＰＣ（パーソナルコンピュータ）等によるインターネット登録といった、最初の受信装置を登録したときと同様の手間をかけるという問題がある。
【０００８】
本発明は、このような問題に鑑みてなされたものであり、契約者の２台目以降の受信装置においては、コールセンタ等を介さずに、簡易に受信装置の登録を行うことが可能な送信装置および受信装置を提供することを課題とする。
【課題を解決するための手段】
【０００９】
前記課題を解決するため、請求項１に記載の送信装置は、コンテンツと、当該コンテンツに合成して表示するメッセージと、登録の有無により前記メッセージを表示するか否かを示すメッセージ制御情報とを、放送ストリームとして多重化して送信する送信装置において、解除コード生成手段と、解除コード情報送信手段と、解除コード情報受信手段と、解除コード検証手段と、メッセージ制御情報送信手段と、を備える構成とした。
【００１０】
かかる構成において、送信装置は、解除コード生成手段によって、契約者の登録情報として入力された契約者固有の識別子から、メッセージの表示を消去する契約者固有の解除コードを、例えば、ハッシュ演算等により生成する。
そして、送信装置は、解除コード情報送信手段によって、解除コードと契約者固有の識別子とを含む解除コード情報を、契約者の登録情報として入力された受信装置固有の識別子で特定される受信装置に送信する。これによって、例えば、電話等によって予め登録されている受信装置に対して、解除コードと契約者固有の識別子とが通知されることになる。
【００１１】
また、送信装置は、解除コード情報受信手段によって、契約者の未登録の受信装置から、解除コード情報を受信する。これによって、送信装置は、契約者がどの受信装置を登録したいのかを認識することができる。
そして、送信装置は、解除コード検証手段によって、解除コード情報受信手段で受信した解除コード情報に含まれる解除コードが、解除コード生成手段で生成した解除コードと一致するか否かにより受信した解除コードが有効か否かを検証する。
これによって、放送事業者は、解除コードが有効な場合に、解除コード情報で通知された契約者固有の識別子と契約者の未登録の受信装置とを対応付けることで登録を行うことができる。
【００１２】
また、送信装置は、メッセージ制御情報送信手段によって、解除コード検証手段で解除コードが有効であると検証された場合に、メッセージの表示を消去する旨を示すメッセージ制御情報を生成し、当該解除コードを送信した未登録の受信装置に送信する。これによって、このメッセージ制御情報を受信した受信装置は、メッセージを消去することができる。
【００１３】
また、請求項２に記載の送信装置は、請求項１に記載の送信装置において、前記契約者固有の識別子とメッセージの表示を消去した受信装置の数とを対応付けて記憶する記憶手段を備え、前記解除コード検証手段が、さらに、前記契約者固有の識別子に対応して、前記記憶手段に記憶されているメッセージの表示を消去した受信装置の数が予め定めた最大数に達している場合、前記解除コードを無効と判定することを特徴とする。
【００１４】
かかる構成において、送信装置は、送信した解除コードを用いて、受信装置の登録を無制限に行うことを防止することができる。
【００１５】
また、請求項３に記載の送信装置は、請求項１または請求項２に記載の送信装置において、前記解除コード検証手段が、さらに、前記解除コードを生成した時間から、前記解除コード情報受信手段で前記解除コード情報を受信した時間までの経過時間が、予め定めた有効期間を経過した場合、前記受信した解除コードを無効と判定することを特徴とする。
【００１６】
かかる構成において、送信装置は、解除コード検証手段によって、解除コードに有効期限を設けることができる。これによって、最初の受信装置の登録後、有効期限内であれば、他の受信装置を登録する際に、電話等による登録を行う必要がない。
【００１７】
また、請求項４に記載の受信装置は、コンテンツと、当該コンテンツに合成して表示するメッセージと、前記メッセージを表示するか否かを示すメッセージ制御情報とが多重化された放送ストリームを受信し、前記メッセージ制御情報に基づいて、前記メッセージを前記コンテンツと合成する合成手段へ出力するか否かを制御するメッセージテキスト情報受信手段を備えた受信装置において、解除コード情報受信手段と、解除コード情報表示手段と、解除コード情報入力手段と、解除コード情報送信手段と、を備える構成とした。
【００１８】
かかる構成において、受信装置は、解除コード情報受信手段によって、送信装置から、契約者固有の識別子から生成されたメッセージの表示を消去する解除コードと、契約者固有の識別子とを含んだ解除コード情報を受信する。これによって、例えば、電話等によって予め登録されている受信装置に対して、解除コードと契約者固有の識別子とが通知されることになる。
【００１９】
そして、受信装置は、解除コード情報表示手段によって、解除コード情報受信手段で受信した解除コード情報を表示する。すなわち、当該受信装置が、最初に登録される受信装置として機能する場合、他の未登録の受信装置で登録を可能にする解除コード情報を、契約者に提示する。
また、受信装置は、解除コード情報入力手段によって、契約者の登録済みの他の受信装置で表示された解除コード情報を、当該受信装置の登録要求を示す登録要求用の解除コード情報として入力する。すなわち、当該受信装置が、未登録の受信装置として機能する場合、すでに登録済みの他の受信装置で表示された解除コード情報を入力する。
【００２０】
そして、受信装置は、解除コード情報送信手段によって、解除コード情報入力手段で入力された解除コード情報を、送信装置に送信する。これによって、未登録の受信装置であっても、解除コードを送信装置に通知することで、登録が可能になる。
また、受信装置は、メッセージテキスト情報受信手段によって、送信装置から解除コード情報が有効であると検証された結果送信される、メッセージの表示を消去する旨を示すメッセージ制御情報を受信した場合、メッセージの前記合成手段への出力を停止する。これによって、登録した受信装置でのメッセージが消去されることになる。
【００２１】
また、請求項５に記載の受信装置は、請求項４に記載の受信装置において、解除コード情報受信手段で受信した解除コード情報を記憶する記憶手段を備える構成とした。
【００２２】
かかる構成において、受信装置は、解除コード情報表示手段によって、外部から指示された際に、記憶手段から解除コード情報を読み出して表示する。これによって、２台目の以降の受信装置を登録する場合、最初の受信装置と同時に登録する必要はなく、時間的にずれたタイミングで受信装置の登録を行うことができる。
【００２３】
さらに、請求項６に記載の受信装置は、請求項５に記載の受信装置において、前記解除コード情報入力手段は、前記契約者の登録済みの他の受信装置で表示された解除コード情報を入力されたときに、当該解除コード情報を前記記憶手段に記憶することを特徴とする。
【００２４】
かかる構成において、受信装置は、最初に登録した受信装置でなく、後から登録した受信装置であっても、未登録の受信装置に設定するための解除コードを提示することができる。
【発明の効果】
【００２５】
本発明は、以下に示す優れた効果を奏するものである。
請求項１，４に記載の発明によれば、契約者が、登録済みの受信装置に設定されている解除コード情報を読み出して、未登録の受信装置に入力するだけで、未登録の受信装置の登録が完了するため、コールセンタ等を介さずに、簡易に受信装置の登録を行うことができる。また、これによって、本発明は、コールセンタへの呼量を削減することができる。
【００２６】
請求項２，３に記載の発明によれば、解除コードに対して、量的および／または時間的な制限をかけることができる。これによって、本発明は、不正に大量の受信装置が登録されることを防止することができる。
【００２７】
請求項５に記載の発明によれば、最初に登録した受信装置と、２台目以降に登録する受信装置との登録時期にずれがある場合であっても、最初に登録した受信装置で記憶されている解除コード情報を確認することができるため、コールセンタ等を介さずに、２台目以降の受信装置を登録することができる。
【００２８】
請求項６に記載の発明によれば、２台目以降に登録する受信装置においても解除コード情報が記憶されるため、最初に登録した受信装置に限定されず、２台目以降に登録した受信装置でも解除コード情報を確認することができる。
【図面の簡単な説明】
【００２９】
【図１】本発明の第１実施形態に係るメッセージ表示制御システム（デジタル放送システム）の概要を説明するための説明図である。
【図２】本発明の第１実施形態に係る送信装置の構成を示す構成図である。
【図３】メッセージテキスト情報のデータ構造の例を示すデータ構造図である。
【図４】メッセージ制御情報のデータ構造の例を示すデータ構造図である。
【図５】解除コード情報のデータ構造の例を示すデータ構造図である。
【図６】解除コード情報を含んだメッセージ制御情報のデータ構造の例を示すデータ構造図である。
【図７】本発明の第１実施形態に係る受信装置の構成を示す構成図である。
【図８】本発明の第１実施形態に係るメッセージ表示制御システム（デジタル放送システム）における１台目の受信装置の登録動作を示すフローチャートである。
【図９】本発明の第１実施形態に係るメッセージ表示制御システム（デジタル放送システム）における２台目以降の受信装置の登録動作を示すフローチャートである。
【図１０】本発明の第１実施形態に係る送信装置の解除コードの検証動作を示すフローチャートである。
【図１１】本発明の第２実施形態に係るメッセージ表示制御システム（デジタル放送システム）の概要を説明するための説明図である。
【図１２】本発明の第２実施形態に係る送信装置の構成を示す構成図である。
【図１３】本発明の第２実施形態に係る受信装置の構成を示す構成図である。
【図１４】本発明の第２実施形態に係るメッセージ表示制御システム（デジタル放送システム）における１台目の受信装置の登録動作を示すフローチャートである。
【発明を実施するための形態】
【００３０】
以下、本発明の実施形態について図面を参照して説明する。
≪第１実施形態≫
［メッセージ表示制御システムの概要］
最初に、図１を参照して、本発明の第１実施形態に係るデジタル放送によるメッセージ表示制御システムＳの概要について説明する。
メッセージ表示制御システムＳは、放送事業者が有するデジタル放送の送信装置１と、各家庭等に設置されたデジタル放送の受信装置２，２，…とで構成され、有料放送の放送契約や受信契約（以下、単に契約という）による受信装置２の登録の有無によって、受信装置２の画面上に表示するメッセージを制御するものである。なお、デジタル放送は、地上デジタル放送、衛星放送、ケーブル放送等であって、無線放送、有線放送を問わない。
このメッセージ表示制御システムＳは、１台目の受信装置２１については、従来と同様に、電話、インターネット等によって登録を行うことでメッセージを消去させるが、２台目以降の受信装置２２，２３，…については、受信装置２の操作のみで登録を行い、メッセージを消去させる。
【００３１】
その動作の概要について、図１を参照して説明する。
まず、１台目の受信装置２１について、視聴者は、電話等によって、受信装置２１固有のＩＤ（受信機ＩＤ１）と、住所、氏名等の個人情報とを登録情報として、放送事業者に通知する（ステップＳ１）。
【００３２】
そして、放送事業者が、送信装置１から、メッセージ消去を指示する信号（メッセージ制御情報）を、受信機ＩＤ１の受信装置２１への個別情報として、放送波Ｗで通知する（ステップＳ２）。また、送信装置１は、２台目以降の受信装置２がメッセージを消去させるためのコードとなる解除コードを、受信機ＩＤ１の受信装置２への個別情報として、放送波Ｗで通知する（ステップＳ３）。この解除コードは、受信装置２１に保持される。
【００３３】
そして、視聴者は、２台目以降の受信装置２（ここでは、受信装置２２）を登録する際に、受信装置２１の画面上に解除コードを表示させ（ステップＳ４）、その解除コードを、受信装置２２に入力する（ステップＳ５）。
すると、受信装置２２は、通信回線Ｎを介して、受信装置２２固有のＩＤ（受信機ＩＤ２）と、解除コードとを送信装置１に送信する（ステップＳ６）。
【００３４】
そして、送信装置１は、メッセージ消去を指示する信号（メッセージ制御情報）を、受信機ＩＤ２の受信装置２２への個別情報として、放送波Ｗで通知する（ステップＳ７）。これによって、受信装置２２における画面上のメッセージが消去される。
このように、２台目以降の受信装置２については、解除コードを入力するだけの簡易な手続きで登録およびメッセージの消去を行うことができる。
以下、本発明の第１実施形態に係る送信装置１および受信装置２について詳細に説明する。
【００３５】
［送信装置の構成］
まず、図２を参照（適宜図１参照）して、本発明の第１実施形態に係る送信装置１の構成について説明する。
送信装置１は、放送波Ｗを介して、コンテンツ（放送番組）を受信装置２に送信するものである。また、送信装置１は、放送波Ｗを介して、映像上にテキスト文字としてオーバレイ表示するメッセージを送信するとともに、その表示を制御する機能を有する。
ここでは、送信装置１は、コンテンツ配信手段１０と、共通情報生成手段１１と、個別情報生成手段１２と、多重化手段１３と、解除コード生成手段１４と、計時手段１５と、記憶手段１６と、通信制御手段１７と、解除コード情報受信手段１８と、解除コード検証手段１９と、を備える。
【００３６】
コンテンツ配信手段１０は、入力されたコンテンツを受信装置２に配信するものである。このコンテンツ配信手段１０は、入力されたコンテンツを構成する映像信号、音声信号等を符号化し、多重化手段１３に出力する。例えば、コンテンツ配信手段１０は、コンテンツをＭＰＥＧ−２  ＴＳ等で符号化する。
なお、コンテンツ配信手段１０は、コンテンツへのアクセスを制限するため、コンテンツをスクランブル鍵でスクランブルし、スクランブルした鍵の関連情報とともに送信する限定受信方式によりコンテンツを暗号配信するものであってもよい。
【００３７】
共通情報生成手段１１は、受信装置２に対して共通に送信する情報（共通情報）を生成するものである。ここでは、共通情報生成手段１１は、メッセージテキスト情報送信手段１１ａを備える。
【００３８】
メッセージテキスト情報送信手段１１ａは、受信装置２に表示させるメッセージテキストの文字列（テキストコード）を含んだメッセージテキスト情報を生成し、受信装置２に送信するものである。なお、メッセージテキスト情報は、ＡＲＩＢ  ＳＴＤ−Ｂ２５で規定されているＥＭＭ共通メッセージとして生成することができる。ここでは、メッセージテキスト情報送信手段１１ａは、外部から、メッセージテキスト、メッセージ制御情報ＩＤおよびテキスト表示位置が入力され、ＥＭＭ共通メッセージとしてメッセージテキスト情報を生成し、多重化手段１３に出力する。
【００３９】
ここで、メッセージテキストは、メッセージの文字列（コード列）であって、例えば、受信契約が行われていない旨を示す文章である。また、メッセージ制御情報ＩＤは、メッセージテキストを特定するための識別子である。
また、テキスト表示位置は、メッセージを表示画面のどこに表示させるかを示す情報であって、例えば、画面横方向の位置（左、中、右）、画面縦方向の位置（上、中、下）を、それぞれ予め定めたビット値で示した情報である。ただし、テキスト表示位置は、必須の情報ではない。
例えば、メッセージテキスト情報送信手段１１ａは、図３に示すように、ヘッダ部にメッセージ制御情報ＩＤ、ペイロード部にメッセージテキストとテキスト表示位置とを配置してメッセージテキスト情報を生成する。
【００４０】
個別情報生成手段１２は、個々の受信装置２に個別に送信する情報（個別情報）を生成するものである。ここでは、個別情報生成手段１２は、メッセージ制御情報送信手段１２ａと、解除コード情報送信手段１２ｂと、を備える。
【００４１】
メッセージ制御情報送信手段１２ａは、共通情報生成手段１１（メッセージテキスト情報送信手段１１ａ）で生成されて受信装置２に共通に送信されるメッセージテキストの中で、個別の受信装置２に表示させるメッセージテキストを特定する情報であるメッセージ制御情報を生成し、受信装置２に送信するものである。なお、メッセージ制御情報は、ＡＲＩＢ  ＳＴＤ−Ｂ２５で規定されているＥＭＭ個別メッセージとして生成することができる。ここでは、メッセージテキスト情報送信手段１１ａは、外部から、受信機ＩＤおよびメッセージ制御情報ＩＤが入力され、ＥＭＭ個別メッセージとしてメッセージ制御情報を生成し、多重化手段１３に出力する。
【００４２】
ここで、受信機ＩＤは、受信装置２を特定する識別子であって、例えば、受信装置２に予め配布されているＩＣカードの番号（ＩＣカード番号）等である。
また、メッセージ制御情報ＩＤは、メッセージテキスト情報送信手段１１ａで共通情報として生成されるメッセージテキスト情報に含まれるメッセージテキストを特定するための識別子である。
【００４３】
なお、受信装置２の画面上でメッセージを消去させるためには、このメッセージ制御情報ＩＤに、予め定めた固有の値（例えば、０ｘ００００）を設定することとする。
ここでは、メッセージ制御情報送信手段１２ａは、解除コード検証手段１９から、受信機ＩＤと、メッセージを消去させる旨の値（例えば、０ｘ００００）となるメッセージ制御情報ＩＤとが入力された場合も、メッセージ制御情報を生成し、多重化手段１３に出力する。
【００４４】
このメッセージ制御情報送信手段１２ａは、受信機ＩＤに、少なくともメッセージ制御情報ＩＤを対応付けて、メッセージ制御情報を生成する。例えば、メッセージ制御情報送信手段１２ａは、図４に示すように、ヘッダ部に受信機ＩＤ、ペイロード部にメッセージ制御情報ＩＤを配置してメッセージ制御情報を生成する。
【００４５】
解除コード情報送信手段１２ｂは、受信装置２において、メッセージを消去させるための情報である解除コード情報を、受信装置２に送信するものである。
ここでは、解除コード情報送信手段１２ｂは、外部から、受信機ＩＤが入力され、当該受信機ＩＤに対応する解除コード情報を記憶手段１６から読み出して、多重化手段１３に出力する。ここで、受信機ＩＤは、視聴者が当該契約を行った対象の受信装置２を特定する識別子（ＩＣカード番号等）である。
【００４６】
なお、解除コード情報は、ＡＲＩＢ  ＳＴＤ−Ｂ２５で規定されているＥＭＭ個別メッセージとして生成することができる。例えば、解除コード情報送信手段１２ｂは、図５に示すように、解除コード情報として、ヘッダ部に受信機ＩＤ、ペイロード部に解除コード、契約者ＩＤおよび日時情報を配置して、ＥＭＭ個別メッセージとして、受信装置２に送信する。なお、この解除コード情報の内容（解除コード、契約者ＩＤ、日時情報）については、解除コード生成手段１４の説明において行うこととする。
【００４７】
多重化手段１３は、コンテンツ配信手段１０が配信するコンテンツと、共通情報生成手段１１が生成した共通情報（メッセージテキスト情報）と、個別情報生成手段１２が生成した個別情報（メッセージ制御情報、解除コード情報）とを、それぞれ入力された段階で多重化して、放送ストリームとして送信するものである。
【００４８】
ここでは、多重化手段１３は、入力された各情報を、ＭＰＥＧ−２  Ｓｙｓｔｅｍｓで定義されるＴＳ（トランスポートストリーム）の形式（ＭＰＥＧ−２  ＴＳ）に多重化するものとする。このように多重化された放送ストリームは、放送波Ｗを介して、受信装置２に送信される。なお、ここでは、放送波Ｗを介して、放送ストリームを送信することとしているが、通信回線Ｎを介して送信する形態であっても構わない。
また、ここでは図示を省略するが、多重化手段１３は、これらの情報以外にも、番組配列情報であるＰＳＩ（Program Specific Information）／ＳＩ（Service Information）の情報テーブル等を適宜多重化することはいうまでもない。
【００４９】
解除コード生成手段１４は、受信装置２において、メッセージを消去させるためのコードである解除コードを生成するものである。ここでは、解除コード生成手段１４は、外部から、契約者ＩＤおよび受信機ＩＤが入力されたタイミングで解除コードを生成し、受信機ＩＤと対応付けた解除コード情報として記憶手段１６に記憶する。ここで、契約者ＩＤは、視聴者が放送事業者との間で、予め有料放送の放送契約や受信契約等の契約を行った際に付される契約者固有の識別子である。また、受信機ＩＤは、視聴者が当該契約を行った対象の受信装置２を特定する識別子（ＩＣカード番号等）である。
【００５０】
この解除コード生成手段１４は、入力された契約者ＩＤをシードとして解除コードを生成する。例えば、解除コード生成手段１４は、契約者ＩＤに、放送事業者で秘密の情報となる予め定めた値を付加して、ハッシュ演算を行い、演算結果であるハッシュ値を解除コードとする。
【００５１】
なお、解除コードは、受信装置２に送信され、メッセージを消去するためのコードとして使用されるものであるため、解除コードの利用には、不正利用を防止するための制限を設けることが好ましい。そこで、ここでは、同一契約者が、メッセージを解除（消去）できる受信装置２の数（解除台数）と、メッセージを解除できる有効期限とを、解除コードの利用制限とする。
【００５２】
この解除コード生成手段１４は、解除コード検証手段１９において、解除台数による解除コードの検証を行うため、契約者ＩＤおよび受信機ＩＤが入力された段階で、記憶手段１６に、契約者ＩＤ（解除コード情報）に対応付けて解除台数の初期値（“１”）を記憶する。なお、すでに同じ契約者ＩＤが存在する場合は、解除台数に“１”を加算すればよい。
【００５３】
また、解除コード生成手段１４は、解除コード検証手段１９において、有効期限による解除コードの検証を行うため、計時手段１５で計時される日時情報（例えば、年月日）を、解除コード情報にさらに付加することとする。なお、日時情報を含んで解除コード情報を生成し、記憶手段１６に記憶する場合、解除コード情報送信手段１２ｂは、必ずしも、日時情報を受信装置２に送信する必要はない。
この解除台数と有効期限とによる解除コードの検証については、解除コード検証手段１９の説明において行うこととする。
【００５４】
なお、解除コード情報は、受信装置２において、視聴者が入力する情報として用いられることから、改ざんを防止するため、解除コード、契約者ＩＤおよび日時情報を連結した１つのコード情報として構成し、ＣＲＣ（Cyclic Redundancy Check）等の誤り検出データを付加することが好ましい。
【００５５】
計時手段１５は、時刻を計時する一般的なタイマである。この計時手段１５は、例えば、年月日時分秒を計時する。この計時手段１５が計時する時刻は、解除コード生成手段１４や解除コード検証手段１９によって、必要な時間（例えば、年月日等）が参照される。
【００５６】
記憶手段１６は、契約者固有の識別子である契約者ＩＤに対応付けて、解除コード情報と、契約者がメッセージを消去させた受信装置２の数（解除台数）とを記憶するもので、半導体メモリ等の一般的な記憶媒体である。この記憶手段１６に記憶される解除コード情報は、解除コード生成手段１４によって設定される。また、記憶手段１６に記憶される解除台数は、解除コード生成手段１４によって初期値が設定され、解除コード検証手段１９によってインクリメントされる。
【００５７】
通信制御手段１７は、受信装置２から、通信回線Ｎを介して送信される通信データを受信するものである。
解除コード情報受信手段１８は、通信制御手段１７を介して、解除コード情報を通信データとして受信するものである。この解除コード情報受信手段１８は、受信した解除コード情報を、解除コード検証手段１９に出力する。
【００５８】
解除コード検証手段１９は、解除コード情報受信手段１８で受信した解除コード情報を検証するものである。ここでは、解除コード検証手段１９は、コード値検証手段１９ａと、解除台数検証手段１９ｂと、有効期限検証手段１９ｃと、を備える。
【００５９】
コード値検証手段１９ａは、解除コード情報受信手段１８で受信した解除コード情報に含まれる解除コードが、解除コード生成手段１４で生成した解除コードと一致するか否かにより受信した解除コードが有効か否かを検証するものである。
このコード値検証手段１９ａは、受信した解除コード情報（図５参照）において、契約者ＩＤをシードとして解除コードを生成する。なお、この解除コードの生成方法は、解除コード生成手段１４における解除コードの生成方法と同じものとする。
このコード値検証手段１９ａは、契約者ＩＤをシードとして生成した解除コードと、受信した解除コード情報に含まれている解除コードとが一致していれば解除コードを有効と判定し、一致しなければ、無効と判定する。
【００６０】
解除台数検証手段１９ｂは、解除コードによってメッセージ表示を解除した受信装置２の数が、予め定めた数を超過するか否かによって、解除コードが有効であるか否かを検証するものである。
この解除台数検証手段１９ｂは、受信した解除コード情報（図５参照）において、契約者ＩＤに対応して記憶手段１６に記憶されている解除台数が、予め定めた最大数に達していなければ、解除台数による検証結果として当該解除コードを有効と判定する。一方、解除台数が予め定めた最大数に達していれば、解除台数検証手段１９ｂは、解除台数による検証結果として当該解除コードを無効と判定する。
【００６１】
有効期限検証手段１９ｃは、解除コードが生成された日時からの経過時間によって、解除コードが有効であるか否かを検証するものである。
この有効期限検証手段１９ｃは、受信した解除コード情報（図５参照）に含まれている日時情報から、現時点で計時手段１５によって計時される日時情報までの経過時間が、予め定めた有効期限（例えば、一ヶ月）未満であれば、有効期限による検証結果として当該解除コードを有効と判定する。一方、経過時間が有効期限を越えていれば、有効期限検証手段１９ｃは、有効期限による検証結果として当該解除コードを無効と判定する。
なお、記憶手段１６に日時情報を含んで解除コード情報を記憶している場合、有効期限検証手段１９ｃは、当該記憶手段１６に記憶されている日時情報から、現時点で計時手段１５によって計時される日時情報までの経過時間によって、有効期限を検証することとしてもよい。
【００６２】
そして、解除コード検証手段１９は、コード値検証手段１９ａ、解除台数検証手段１９ｂおよび有効期限検証手段１９ｃにおけるいずれの検証結果においても、解除コードが有効であると判定された場合に、受信装置２からの要求を正当と判定し、メッセージ消去の指示を個別情報生成手段１２のメッセージ制御情報送信手段１２ａに通知する。
すなわち、解除コード検証手段１９は、受信した解除コード情報に含まれている受信機ＩＤと、メッセージを消去させる旨の値（例えば、０ｘ００００）となるメッセージ制御情報ＩＤとを、メッセージ消去の指示として、メッセージ制御情報送信手段１２ａに通知する。これによって、受信機ＩＤに対応する受信装置２のメッセージが消去されることになる。
【００６３】
また、解除コード検証手段１９は、解除コードが有効であると判定された場合、受信した解除コード情報に含まれている受信機ＩＤと、契約者ＩＤとを、登録情報として外部に出力する。
これによって、放送事業者は、電話等による通知を受けなくても、契約者ＩＤで特定される契約者が、新たな受信機ＩＤに対応する受信装置２を登録したことを認識することができる。
なお、解除コード情報として誤り検出データを付加した情報を用いる場合、解除コード検証手段１９は、ＣＲＣ等の誤り検出を行い、誤りがあれば、解除コードを無効と判定し、各検証手段１９ａ，１９ｂ，１９ｃによる検証を省略する。
【００６４】
以上説明したように送信装置１を構成することで、送信装置１は、受信装置２に対して、２台目以降の受信装置２で簡易に登録を行うための解除コード情報を送信することができる。また、送信装置１は、２台目以降の受信装置２から解除コード情報を取得することで、受信装置２におけるメッセージを消去させることができる。
【００６５】
なお、ここでは、個別情報生成手段１２が、メッセージ制御情報と、解除コード情報とを、それぞれ個別の情報として生成し、受信装置２に送信することとしたが、解除コード情報を、メッセージ制御情報に含ませて送信しても構わない。
すなわち、メッセージ制御情報送信手段１２ａは、図６に示すように、メッセージ制御情報として、ヘッダ部に受信機ＩＤ、ペイロード部にメッセージ制御情報ＩＤ、解除コード、契約者ＩＤおよび日時情報を配置して、ＥＭＭ個別メッセージとして、受信装置２に送信すればよい。
このように、メッセージ制御情報送信手段１２ａに、解除コード情報送信手段１２ｂの機能を併せ持つこととして、送信装置１の構成から、解除コード情報送信手段１２ｂを省略してもよい。
【００６６】
［受信装置の構成］
次に、図７を参照（適宜図１参照）して、本発明の第１実施形態に係る受信装置２の構成について説明する。
受信装置２は、放送波Ｗを介して、コンテンツ（放送番組）を受信するものである。また、受信装置２は、放送波Ｗを介して送信される信号によって、映像（画面）上にメッセージを合成して表示したり、当該メッセージを消去したりする機能を有する。
ここでは、受信装置２は、分離手段２０と、コンテンツ受信手段２１と、合成手段２２と、共通情報処理手段２３と、個別情報処理手段２４と、記憶手段２５と、解除コード情報表示手段２６と、解除コード情報入力手段２７と、解除コード情報送信手段２８と、通信制御手段２９と、を備える。
【００６７】
分離手段２０は、送信装置１から送信された放送ストリーム（多重化信号；ＭＰＥＧ−２  ＴＳ）を分離するものである。この分離手段２０は、ＭＰＥＧ−２  ＴＳから、コンテンツと、共通情報（メッセージテキスト情報）と、個別情報（メッセージ制御情報、解除コード情報）と、を分離する。
【００６８】
コンテンツ受信手段２１は、分離手段２０で分離抽出されたコンテンツを受信するものである。このコンテンツ受信手段２１は、受信したＭＥＰＧ−２等で符号化されているコンテンツを復号し、合成手段２２に出力する。
なお、コンテンツ受信手段２１は、スクランブル鍵でスクランブルしたコンテンツと、スクランブルした鍵の関連情報とともに受信し、限定受信方式によりコンテンツを復号するものであってもよい。
【００６９】
合成手段２２は、コンテンツ受信手段２１で受信したコンテンツに、メッセージテキスト情報受信手段２３ａから出力されるメッセージテキストを合成するものである。この合成手段２２は、コンテンツの映像上の予め定めた位置、あるいは、指定されたテキスト表示位置に、メッセージテキストをオーバレイ表示させる。
【００７０】
共通情報処理手段２３は、分離手段２０で分離抽出された、受信装置２に対して共通の情報（共通情報）を受信するものである。より具体的には、共通情報処理手段２３は、ＥＭＭ共通メッセージを受信する。ここでは、共通情報処理手段２３は、メッセージテキスト情報受信手段２３ａを備える。
【００７１】
メッセージテキスト情報受信手段２３ａは、送信装置１から共通情報として送信されるメッセージテキスト情報を受信するものである。このメッセージテキスト情報は、送信装置１のメッセージテキスト情報送信手段１１ａ（図２参照）で生成された情報であって、メッセージ制御情報ＩＤにメッセージテキストを対応付けた情報である（図３参照）。
このメッセージテキスト情報受信手段２３ａは、メッセージテキスト情報に含まれているメッセージ制御情報ＩＤと、記憶手段２５に記憶されているメッセージ制御情報ＩＤとが一致する場合だけ、メッセージテキスト情報に含まれているメッセージテキストを合成手段２２に出力する。また、メッセージテキスト情報にテキスト表示位置が含まれている場合、メッセージテキスト情報受信手段２３ａは、メッセージテキストとともに、テキスト表示位置を合成手段２２に出力する。
なお、記憶手段２５に記憶されているメッセージ制御情報ＩＤが、メッセージの消去を示す予め定めた値（例えば、０ｘ００００）であった場合、メッセージテキスト情報受信手段２３ａは、合成手段２２への出力は行わない。
【００７２】
個別情報処理手段２４は、分離手段２０で分離抽出された、受信装置２に対して個別の情報（個別情報）を受信するものである。より具体的には、個別情報処理手段２４は、ＥＭＭ個別メッセージを受信する。ここでは、個別情報処理手段２４は、メッセージ制御情報受信手段２４ａと、解除コード情報受信手段２４ｂと、を備える。
【００７３】
メッセージ制御情報受信手段２４ａは、送信装置１から個別情報として送信されるメッセージ制御情報を受信するものである。このメッセージ制御情報は、送信装置１のメッセージ制御情報送信手段１２ａ（図２参照）で生成された情報であって、受信機ＩＤにメッセージ制御情報ＩＤを対応付けた情報である（図４参照）。
このメッセージ制御情報受信手段２４ａは、ＥＭＭ個別メッセージから、記憶手段２５に記憶されている受信機ＩＤに対応するメッセージ制御情報を抽出し、抽出したメッセージ制御情報に含まれているメッセージ制御情報ＩＤを記憶手段２５に書き込み記憶する。
【００７４】
解除コード情報受信手段２４ｂは、送信装置１から個別情報として送信される解除コード情報を受信するものである。この解除コード情報は、送信装置１の解除コード情報送信手段１２ｂ（図２参照）から送信された情報であって、受信機ＩＤに、解除コード、契約者ＩＤおよび日時情報を対応付けた情報である（図５参照）。
この解除コード情報受信手段２４ｂは、ＥＭＭ個別メッセージから、記憶手段２５に記憶されている受信機ＩＤに対応する解除コード情報を抽出し、抽出した解除コード情報に含まれている解除コード、契約者ＩＤおよび日時情報を記憶手段２５に書き込み記憶する。なお、図６に示すように、解除コード情報にメッセージ制御情報ＩＤが含まれている場合、解除コード情報受信手段２４ｂは、メッセージ制御情報ＩＤも記憶手段２５に書き込み記憶する。
【００７５】
記憶手段（メッセージ制御情報記憶手段、解除コード情報記憶手段、受信機ＩＤ記憶手段）２５は、各種情報を記憶するものである。ここでは、記憶手段２５は、メッセージ制御情報ＩＤと、解除コード情報（解除コード、日時情報および契約者ＩＤ）と、受信機ＩＤと、を記憶する。
【００７６】
ここで、メッセージ制御情報ＩＤは、メッセージ制御情報受信手段２４ａによって書き込まれる情報である。
また、解除コード情報（解除コード、日時情報および契約者ＩＤ）は、解除コード情報受信手段２４ｂまたは解除コード情報入力手段２７によって書き込まれる情報である。すなわち、解除コード情報は、受信装置２が、視聴者が電話等によって登録を行った受信装置の場合、解除コード情報受信手段２４ｂによって書き込まれる。また、解除コード情報は、視聴者自身が設定する場合、解除コード情報入力手段２７によって書き込まれる。
また、受信機ＩＤは、受信装置２に固有の識別子であって、予め記憶手段２５に記憶されている情報である。
【００７７】
なお、ここでは、記憶手段２５を、１つの記憶手段として図示しているが、それぞれの情報を個別の記憶手段に記憶する構成としてもよい。
例えば、メッセージ制御情報ＩＤを半導体メモリ等で構成されるメッセージ制御情報記憶手段に記憶し、解除コード、日時情報および契約者ＩＤを他の半導体メモリ等で構成される解除コード情報記憶手段に記憶する。また、受信機ＩＤは、受信装置２に予め配布されているＩＣカード内に記憶する。
【００７８】
解除コード情報表示手段２６は、記憶手段２５に記憶されている解除コード情報を、図示を表示した表示装置に表示するものである。
この解除コード情報表示手段２６は、図示を省略した入力手段によって、例えば、メニュー画面から解除コード情報表示画面を選択する等、解除コード情報の表示を選択されることで、記憶手段２５に記憶されている解除コード、日時情報および契約者ＩＤを、表示装置の画面上に表示する。なお、解除コード情報が、解除コード、日時情報および契約者ＩＤに誤り検出データを付加して１つのコード情報として構成されている場合、当該コード情報を画面上に表示する。
これによって、視聴者は、２台目以降の受信装置２に設定する解除コード情報を認識することができる。
【００７９】
解除コード情報入力手段２７は、図示を省略した入力手段によって、解除コード情報（登録要求用の解除コード情報）を入力するものである。
この解除コード情報入力手段２７は、例えば、メニュー画面から解除コード情報入力画面を選択する等、解除コード情報の入力を選択されることで、画面上に解除コード情報を入力する欄を設けた画面を表示し、解除コード情報を入力する。
そして、解除コード情報入力手段２７は、入力された解除コード情報（解除コード、日時情報および契約者ＩＤ）を記憶手段２５に書き込み、解除コード情報が入力された旨を解除コード情報送信手段２８に通知する。
【００８０】
解除コード情報送信手段２８は、解除コード情報入力手段２７によって入力された解除コード情報を、通信制御手段２９を介して、送信装置１に送信するものである。この解除コード情報送信手段２８は、記憶手段２５に記憶されている解除コード情報を読み出して、通信制御手段２９に出力する。
【００８１】
通信制御手段２９は、通信回線Ｎを介して、解除コード情報送信手段２８から出力される解除コード情報を送信装置１に送信するものである。なお、送信装置１のアドレス（例えば、ＩＰアドレス）は、予め既知であるものとする。
【００８２】
以上説明したように受信装置２を構成することで、受信装置２は、最初に設定する受信装置２の場合、２台目以降の受信装置２で簡易に登録を行うための解除コード情報を、放送波Ｗを介して、送信装置１から取得し、表示することができる。また、受信装置２は、２台目以降の受信装置２の場合、解除コード情報を入力するだけで、簡易に登録を行うことができ、メッセージを消去することができる。
なお、受信装置２は、コンピュータを前記した各手段として機能させるためのプログラム（デジタル放送受信プログラム）で動作させることができる。このデジタル放送受信プログラムは、例えば、ＰＣ（パーソナルコンピュータ）上で動作させることもできる。
【００８３】
［メッセージ表示制御システムの動作］
次に、図８〜図１０を参照して、メッセージ表示制御システムＳの動作について説明する。なお、コンテンツの送受信動作については、一般的な動作であるため、ここでは説明を省略し、受信装置２の登録に伴うメッセージテキストの表示制御動作について説明する。
【００８４】
（１台目の受信装置の登録動作）
最初に、図８を参照（適宜図１，図２，図７参照）して、１台目の受信装置２１（２）の登録動作について説明する。なお、ここでは、便宜上、“１台目”というが、この“１台目”は、電話、インターネット等によって、登録を行う受信装置２のことである。
【００８５】
まず、視聴者は、電話、インターネット等によって、受信装置２１固有のＩＤ（受信機ＩＤ１）と、住所、氏名等の個人情報とを登録情報として、放送事業者に通知し（ステップＳ１０）、放送事業者が登録情報を取得する（ステップＳ１１）。
【００８６】
そして、送信装置１は、登録情報として通知された受信機ＩＤと、メッセージの消去を示すメッセージ制御情報ＩＤ（＝０ｘ００００）とを外部から入力されることで、個別情報生成手段１２のメッセージ制御情報送信手段１２ａによって、メッセージ制御情報（図４参照）を生成し（ステップＳ１２）、多重化手段１３を介して、放送ストリームに多重化して送信する（ステップＳ１３）。
【００８７】
一方、受信装置２１は、分離手段２０によって放送ストリームを分離し、個別情報処理手段２４のメッセージ制御情報受信手段２４ａによって、受信装置２１の受信機ＩＤに対応するメッセージ制御情報を受信する（ステップＳ１４）。
そして、受信装置２１は、メッセージ制御情報受信手段２４ａによって、ステップＳ１４で受信したメッセージ制御情報であるメッセージ制御情報ＩＤ（＝０ｘ００００）を記憶手段２５に記憶する（ステップＳ１５）。
【００８８】
また、送信装置１は、登録情報として通知された受信機ＩＤと、契約を行った視聴者を識別する契約者ＩＤとを外部から入力されることで、解除コード生成手段１４によって、契約者ＩＤをシードとして解除コードを生成する（ステップＳ１６）。このとき、解除コード生成手段１４は、契約者ＩＤに、放送事業者で秘密の情報となる予め定めた値を付加して、ハッシュ演算を行い、演算結果であるハッシュ値を解除コードとして生成する。
また、解除コード生成手段１４は、解除コードと、契約者ＩＤと、計時手段１５で計時される日時情報とを含んだ解除コード情報（図５参照）を生成する（ステップＳ１７）。そして、送信装置１は、解除コード生成手段１４によって、契約者ＩＤに対応した解除コード情報の数を示す解除台数（初期値＝“１”）を、契約者ＩＤと対応付けて記憶手段１６に記憶する（ステップＳ１８）。
そして、送信装置１は、解除コード情報送信要求として、受信機ＩＤを外部から入力されることで、個別情報生成手段１２の解除コード情報送信手段１２ｂによって、ステップＳ１７で生成した解除コード情報を、多重化手段１３を介して、放送ストリームに多重化して送信する（ステップＳ１９）。
【００８９】
一方、受信装置２１は、分離手段２０によって放送ストリームを分離し、個別情報処理手段２４の解除コード情報受信手段２４ｂによって、受信装置２１の受信機ＩＤに対応する解除コード情報を受信する（ステップＳ２０）。
そして、受信装置２１は、解除コード情報受信手段２４ｂによって、ステップＳ２０で受信した解除コード情報（解除コード、契約者ＩＤおよび日時情報）を記憶手段２５に記憶する（ステップＳ２１）。
【００９０】
以上の動作によって、受信装置２１では、２台目以降の受信装置２２，２３，…が簡易に登録を行うための解除コード情報が記憶手段２５に記憶されることになる。
また、以上の動作によって、受信装置２１では、メッセージが消去される状態となる。
すなわち、この状態で、送信装置１が、共通情報生成手段１１のメッセージテキスト情報送信手段１１ａによって、メッセージテキスト情報（図３参照）を生成して、放送ストリームに多重化したとする。
すると、受信装置２１は、記憶手段２５にメッセージを消去する旨を示すメッセージ制御情報ＩＤ（＝０ｘ００００）が記憶されており、メッセージテキスト情報に含まれているメッセージテキストを識別するメッセージ制御情報ＩＤと一致しないため、共通情報処理手段２３のメッセージテキスト情報受信手段２３ａにおいて、メッセージテキスト情報に含まれているメッセージテキストを合成手段２２に出力せず、メッセージが表示されないことになる。
【００９１】
（２台目の受信装置の登録動作）
次に、図９を参照（適宜図１，図２，図７参照）して、２台目の受信装置２２（２）の登録動作について説明する。なお、ここでは、便宜上、“２台目”というが、この“２台目”は、電話、インターネット等によって、登録を行った受信装置２１より後に登録する受信装置のことである。
【００９２】
まず、すでに登録済みの受信装置２１において、視聴者（契約者）がメニュー画面等から解除コード情報表示画面を選択することで、受信装置２１は、解除コード情報表示手段２６によって、記憶手段２５に記憶されている解除コード情報（解除コード、契約者ＩＤおよび日時情報）を、表示装置の画面上に表示する（ステップＳ３０）。
【００９３】
そして、新たに登録する受信装置２２において、視聴者（契約者）がメニュー画面等から解除コード情報入力画面を選択することで、解除コード情報入力手段２７によって、解除コード情報入力画面を表示し、視聴者（契約者）からの解除コード情報の入力を受け付ける。そして、解除コード情報入力手段２７は、入力した解除コード情報を記憶手段２５に書き込む（ステップＳ３１）。
そして、受信装置２２は、解除コード情報送信手段２８によって、ステップＳ３１で入力された解除コード情報を、通信データとして、通信制御手段２９を介して、送信装置１に送信する（ステップＳ３２）。
【００９４】
一方、送信装置１は、解除コード情報受信手段１８によって、通信制御手段１７を介して、解除コード情報を受信する（ステップＳ３３）。
そして、送信装置１は、解除コード検証手段１９によって、ステップＳ３３で受信した解除コード情報の解除コードが有効であるか否かを検証する（ステップＳ３４）。このステップＳ３４の動作については、後で図１０を参照して詳細に説明することとする。
【００９５】
この解除コード検証手段１９において、解除コードが無効であると判定された場合（ステップＳ３５でＮｏ）、送信装置１は、当該登録動作を終了する。
なお、この場合、解除コード検証手段１９から、解除コード情報を受信した受信機ＩＤと、解除コードが無効である旨を示すメッセージの識別子（メッセージ制御情報ＩＤ）とを、個別情報生成手段１２のメッセージ制御情報送信手段１２ａに通知し、受信装置２にメッセージを表示させることとしてもよい。
【００９６】
一方、解除コードが有効であると判定された場合（ステップＳ３５でＹｅｓ）、送信装置１は、解除コード検証手段１９によって、記憶手段１６において、解除コード情報に含まれている契約者ＩＤに対応する解除台数を更新（“１”加算）する（ステップＳ３６）。そして、送信装置１は、個別情報生成手段１２のメッセージ制御情報送信手段１２ａによって、受信した解除コード情報に含まれている受信機ＩＤと、メッセージを消去させる旨の値（例えば、０ｘ００００）となるメッセージ制御情報ＩＤとを含んだメッセージ制御情報を生成する（ステップＳ３７）。
そして、送信装置１は、多重化手段１３によって、ステップＳ３７で生成したメッセージ制御情報を放送ストリームに多重化して送信する（ステップＳ３８）。
【００９７】
一方、受信装置２２は、分離手段２０によって放送ストリームを分離し、個別情報処理手段２４の解除コード情報受信手段２４ｂによって、受信装置２２の受信機ＩＤに対応する解除コード情報を受信する（ステップＳ３９）。
そして、受信装置２２は、解除コード情報受信手段２４ｂによって、ステップＳ３９で受信した解除コード情報（解除コード、契約者ＩＤおよび日時情報）を記憶手段２５に記憶する（ステップＳ４０）。
【００９８】
以上の動作によって、受信装置２２は、放送事業者側に登録され、メッセージが消去される状態となる。
なお、ここでは、２台目の受信装置２２についての登録動作について説明したが、３台目以降の受信装置２についても同様である。
【００９９】
次に、図１０を参照（構成については、適宜図７参照）して、ステップＳ３４の動作、すなわち、解除コード検証手段１９の検証動作について詳細に説明する。
解除コード検証手段１９は、コード値検証手段１９ａによって、受信した解除コード情報に含まれている契約者ＩＤをシードとして解除コードを生成する（ステップＳ３４１）。そして、解除コード検証手段１９は、コード値検証手段１９ａによって、ステップＳ３４１で生成された解除コードが、受信した解除コード情報に含まれている解除コードと一致するか否かを判定する（ステップＳ３４２）。
【０１００】
ここで、解除コードが一致する場合（ステップＳ３４２でＹｅｓ）、解除コード検証手段１９は、解除台数検証手段１９ｂによって、受信した解除コード情報に含まれている契約者ＩＤに対応して記憶手段１６に記憶されている解除台数が、予め定めた最大数に達しているか否かを判定する（ステップＳ３４３）。
【０１０１】
ここで、解除台数が予め定めた最大数に達していない場合（ステップＳ３４３でＮｏ）、解除コード検証手段１９は、有効期限検証手段１９ｃによって、受信した解除コード情報に含まれている日時情報に基づいて、解除コードが有効期限内の情報であるか否かを判定する（ステップＳ３４４）。すなわち、有効期限検証手段１９ｃが、受信した日時情報から、現時点で計時手段１５によって計時される日時情報までの経過時間が、予め定めた有効期限未満であるか否かを判定する。
【０１０２】
ここで、日時情報が有効期限内の情報である場合（ステップＳ３４４でＹｅｓ）、解除コード検証手段１９は、検証結果に解除コードが有効である旨を設定して（ステップＳ３４５）、図９のステップＳ３５に動作を戻す。
なお、ステップＳ３４２，ステップＳ３４３，ステップＳ３４４の動作は、必ずしもこの順番で行う必要はなく、任意の順番で行ってよいことはいうまでもない。
【０１０３】
そして、ステップＳ３４１で生成された解除コードが、受信した解除コード情報に含まれている解除コードと一致しない場合（ステップＳ３４２でＮｏ）、解除台数が予め定めた最大数に達している場合（ステップＳ３４３でＹｅｓ）、または、解除コードの有効期限を経過している場合（ステップＳ３４４でＮｏ）、解除コード検証手段１９は、検証結果に解除コードが無効である旨を設定して（ステップＳ３４６）、図９のステップＳ３５に動作を戻す。
【０１０４】
なお、解除コード情報として誤り検出データを付加した情報を用いる場合、解除コード検証手段１９は、ステップＳ３４１の前にＣＲＣ等の誤り検出を行い、誤りが検出されない場合は、ステップＳ３４１以降の動作を行い、誤りが検出された場合は、ステップＳ３４６に動作を移行すればよい。
また、ここでは、解除コードの検証に、解除台数による検証および日時情報による検証を用いたが、これらの検証はいずれか１つであっても構わない。
【０１０５】
以上説明したように、メッセージ表示制御システムＳは、最初に電話等で受信装置２の登録を行った後は、解除コード情報を入力する簡易な操作で、２台目以降の受信装置２の登録を行うことができる。また、２台目以降の受信装置２の登録では、電話等による登録が不要となるため、放送事業者のコールセンタに発生する呼量を削減することができる。
【０１０６】
≪第２実施形態≫
［メッセージ表示制御システムの概要］
次に、図１１を参照して、本発明の第２実施形態に係るデジタル放送によるメッセージ表示制御システムＳＢの概要について説明する。
メッセージ表示制御システムＳＢは、放送事業者が有するデジタル放送の送信装置１Ｂと、各家庭等に設置されたデジタル放送の受信装置２Ｂ，２Ｂ，…とで構成され、契約による受信装置２Ｂの登録の有無によって、受信装置２Ｂの画面上に表示するメッセージを制御するものである。
【０１０７】
図１で説明したメッセージ表示制御システムＳでは、送信装置１が、ステップＳ３において、解除コード情報を放送波Ｗで受信装置２に送信した。しかし、メッセージ表示制御システムＳＢでは、送信装置１Ｂが、通信回線Ｎを介して解除コード情報を受信装置２Ｂに送信する点が異なっている。
【０１０８】
すなわち、１台目の受信装置２Ｂ１は、２台目以降の受信装置２Ｂがメッセージを消去させるためのコードとなる解除コードを、自身の受信機ＩＤ１を付加して送信装置１Ｂに通信回線Ｎを介して要求する（ステップＳ３Ａ）。そして、送信装置１Ｂは、受信機ＩＤ１の受信装置２Ｂ１に解除コードを送信する（ステップＳ３Ｂ）。
これ以外の動作は、図１で説明した動作と同じであるため、説明を省略する。
以下、本発明の第２実施形態に係る送信装置１Ｂおよび受信装置２Ｂについて、送信装置１および受信装置２との相違点を中心に説明する。
【０１０９】
［送信装置の構成］
まず、図１２を参照（適宜図１１参照）して、本発明の第２実施形態に係る送信装置１Ｂの構成について説明する。
送信装置１Ｂは、コンテンツ配信手段１０と、共通情報生成手段１１と、個別情報生成手段１２Ｂと、解除コード情報要求受信手段１２Ｃと、解除コード情報送信手段１２Ｄと、多重化手段１３と、解除コード生成手段１４と、計時手段１５と、記憶手段１６と、通信制御手段１７と、解除コード情報受信手段１８と、解除コード検証手段１９と、を備える。個別情報生成手段１２Ｂ、解除コード情報要求受信手段１２Ｃおよび解除コード情報送信手段１２Ｄ以外の構成については、図２で説明した送信装置１と同一の構成であるため、同一の符号を付して説明を省略する。
【０１１０】
個別情報生成手段１２Ｂは、個々の受信装置２Ｂに個別に送信する情報（個別情報）を生成するものである。ここでは、個別情報生成手段１２Ｂは、メッセージ制御情報送信手段１２ａを備える。すなわち、個別情報生成手段１２Ｂは、図２で説明した個別情報生成手段１２から、解除コード情報送信手段１２ｂを省略して構成している。なお、メッセージ制御情報送信手段１２ａは、図２で説明した送信装置１と同一の構成であるため、説明を省略する。
【０１１１】
解除コード情報要求受信手段１２Ｃは、通信制御手段１７を介して、解除コード情報を要求する解除コード情報要求を通信データとして受信するものである。この解除コード情報要求受信手段１２Ｃは、受信した解除コード情報要求を、当該要求を送信した受信装置２Ｂのアドレス（ＩＰアドレス等）とともに、解除コード情報送信手段１２Ｄに出力する。なお、解除コード情報要求には、解除コード情報を要求した受信装置２Ｂの受信機ＩＤが含まれている。
【０１１２】
解除コード情報送信手段１２Ｄは、受信装置２Ｂにおいて、メッセージを消去させるための情報である解除コード情報を、要求のあった受信装置２Ｂに送信するものである。
すなわち、解除コード情報送信手段１２Ｄは、解除コード情報要求受信手段１２Ｃから、解除コード情報要求を通知され、当該要求に含まれている受信機ＩＤに対応して記憶手段１６に記憶されている解除コード情報を、通信制御手段１７を介して、当該情報を要求した受信装置２Ｂに送信する。
【０１１３】
以上説明したように送信装置１Ｂを構成することで、送信装置１Ｂは、受信装置２Ｂに対して、２台目以降の受信装置２Ｂで簡易に登録を行うための解除コード情報を送信することができる。また、送信装置１Ｂは、２台目以降の受信装置２Ｂから解除コード情報を取得することで、受信装置２Ｂにおけるメッセージを消去させることができる。
【０１１４】
［受信装置の構成］
次に、図１３を参照（適宜図１１参照）して、本発明の第２実施形態に係る受信装置２Ｂの構成について説明する。
受信装置２Ｂは、分離手段２０と、コンテンツ受信手段２１と、合成手段２２と、共通情報処理手段２３と、個別情報処理手段２４Ｂと、解除コード情報要求送信手段２４Ｃと、解除コード情報受信手段２４Ｄと、記憶手段２５と、解除コード情報表示手段２６と、解除コード情報入力手段２７と、解除コード情報送信手段２８と、通信制御手段２９と、を備える。個別情報処理手段２４Ｂ、解除コード情報要求送信手段２４Ｃおよび解除コード情報受信手段２４Ｄ以外の構成については、図７で説明した受信装置２と同一の構成であるため、同一の符号を付して説明を省略する。
【０１１５】
個別情報処理手段２４Ｂは、分離手段２０で分離抽出された、受信装置２Ｂに対して個別の情報（個別情報）を受信するものである。ここでは、個別情報処理手段２４Ｂは、メッセージ制御情報受信手段２４ａを備える。すなわち、個別情報処理手段２４Ｂは、図７で説明した個別情報処理手段２４から、解除コード情報受信手段２４ｂを省略して構成している。なお、メッセージ制御情報受信手段２４ａは、図７で説明した受信装置２と同一の構成であるため、説明を省略する。
【０１１６】
解除コード情報要求送信手段２４Ｃは、図示を省略した入力手段を介して、解除コード情報の要求を入力されることで、送信装置１Ｂに当該要求を送信するものである。
この解除コード情報要求送信手段２４Ｃは、解除コード情報要求画面を表示し、視聴者（契約者）によって、要求用のボタン等を押下されることで、解除コード情報要求を、送信装置１Ｂに送信する。
【０１１７】
解除コード情報受信手段２４Ｄは、送信装置１Ｂから送信される解除コード情報を、通信制御手段２９を介して、受信するものである。この解除コード情報は、送信装置１Ｂの解除コード情報送信手段１２Ｄ（図１２参照）から送信された情報であって、受信機ＩＤに、解除コード、契約者ＩＤおよび日時情報を対応付けた情報である（図５参照）。
この解除コード情報受信手段２４Ｄは、受信した解除コード情報に含まれている解除コード、契約者ＩＤおよび日時情報を記憶手段２５に書き込み記憶する。
【０１１８】
以上説明したように受信装置２Ｂを構成することで、受信装置２Ｂは、最初に設定する受信装置２Ｂの場合、２台目以降の受信装置２Ｂで簡易に登録を行うための解除コード情報を、通信回線Ｎを介して、送信装置１Ｂから取得し、表示することができる。また、受信装置２Ｂは、２台目以降の受信装置２の場合、解除コード情報を入力するだけで、簡易に登録を行うことができ、メッセージを消去することができる。
この受信装置２Ｂは、コンピュータを前記した各手段として機能させるためのプログラム（デジタル放送受信プログラム）で動作させることができる。
【０１１９】
［メッセージ表示制御システムの動作］
次に、図１４を参照して、メッセージ表示制御システムＳＢの動作について説明する。
なお、メッセージ表示制御システムＳＢの動作は、基本的に図８〜図１０で説明した動作と同じである。ただし、図８で説明した動作において、ステップＳ１９，Ｓ２０の動作は、放送波Ｗを介して解除コード情報を送受信するものであって、メッセージ表示制御システムＳＢでは、ステップＳ１９，Ｓ２０に替えて、通信回線Ｎを介して解除コード情報を送受信する図１４に示すステップＳ１９Ａ，Ｓ１９Ｂ，Ｓ１９Ｃ，Ｓ２０Ａで動作する。
【０１２０】
すなわち、受信装置２Ｂ１は、１台目の受信装置２Ｂ１の登録後任意のタイミングで、視聴者（契約者）の指示により、解除コード情報要求送信手段２４Ｃによって、通信回線Ｎを介して、自身の受信機ＩＤを付加した解除コード情報要求を送信装置１Ｂに送信する（ステップＳ１９Ａ）。
一方、送信装置１Ｂは、解除コード情報要求受信手段１２Ｃによって、通信回線Ｎを介して、受信装置２Ｂ１から解除コード情報要求を受信する（ステップＳ１９Ｂ）。
【０１２１】
そして、送信装置１Ｂは、解除コード情報送信手段１２Ｄによって、ステップＳ１９Ｂで要求のあった解除コード情報要求に含まれている受信機ＩＤに対応する解除コード情報を、記憶手段１６から読み出し、通信回線Ｎを介して、要求のあった受信装置２Ｂ１に送信する（ステップＳ１９Ｃ）。
そして、受信装置２Ｂ１は、解除コード情報受信手段２４Ｄによって、ステップＳ１９Ｃで送信された解除コード情報を、通信回線Ｎを介して受信する（ステップＳ２０Ａ）。
以上の動作によって、１台目の受信装置２Ｂ１は、通信回線Ｎを介して、２台目以降の受信装置２Ｂ２，２Ｂ３，…の登録に用いる解除コード情報を取得することができる。
【符号の説明】
【０１２２】
１      送信装置
１０    コンテンツ配信手段
１１    共通情報生成手段
１１ａ  メッセージテキスト情報送信手段
１２    個別情報生成手段
１２ａ  メッセージ制御情報送信手段
１２ｂ  解除コード情報送信手段
１３    多重化手段
１４    解除コード生成手段
１５    計時手段
１６    記憶手段
１７    通信制御手段
１８    解除コード情報受信手段
１９    解除コード検証手段
１９ａ  コード値検証手段
１９ｂ  解除台数検証手段
１９ｃ  有効期限検証手段
２      受信装置
２０    分離手段
２１    コンテンツ受信手段
２２    合成手段
２３    共通情報処理手段
２３ａ  メッセージテキスト情報受信手段
２４    個別情報処理手段
２４ａ  メッセージ制御情報受信手段
２４ｂ  解除コード情報受信手段
２５    記憶手段
２６    解除コード情報表示手段
２７    解除コード情報入力手段
２８    解除コード情報送信手段
２９    通信制御手段
【図１】
2014135622.tif 000003
【図２】
2014135622.tif 000004
【図３】
2014135622.tif 000005
【図４】
2014135622.tif 000006
【図５】
2014135622.tif 000007
【図６】
2014135622.tif 000008
【図７】
2014135622.tif 000009
【図８】
2014135622.tif 000010
【図９】
2014135622.tif 000011
【図１０】
2014135622.tif 000012
【図１１】
2014135622.tif 000013
【図１２】
2014135622.tif 000014
【図１３】
2014135622.tif 000015
【図１４】
2014135622.tif 000016